(57)【要約】【課題】  帽子の外側から内部へ空気を取り込むことができ、さらに内側表面に沿って空気の流れを作り出すことができ、着用していて清涼感の得られる帽子を提供する。それに併せて、衝撃に対する緩和能力に優れた帽子を提供する。【解決手段】帽子１の本体部３の内側表面に所望の深さの溝６１を形成する。溝は帽子の前頭部５から頂頭部１３を経て後頭部１１へ延びると共に、左右側頭部７，９へも延びており、それぞれ前頭部、後頭部、左右側頭部の縁５a、１１a、７a、９aに達しそこで開いている。前頭部に貫通穴１６，１８，２０，２２，２４，２６を、頂頭部に貫通穴３２，３４，３６を、後頭部に貫通穴４１，４３，４５，４７，４９，５１を形成する。これらの穴は帽子の水平方向に延びて貫通している。【選択図】図５
0003122263.tif 000002
【実用新案登録請求の範囲】
【請求項１】
頭部を覆う本体部を備えた帽子において、前記本体部の内側表面に該内側表面に沿って延びて形成され、少なくともその一端部が前記本体部の縁において開いている溝と、前記本体部の外側から内側へ貫通して形成され、内側端部において前記溝に通じている貫通穴とを備えたことを特徴とする、帽子。
【請求項２】
請求項１記載の帽子において、前記貫通孔は、前記帽子の通常の着用状態において略水平方向へ貫通するように形成されていることを特徴とする、帽子。
【請求項３】
請求項1又は2に記載の帽子において、前記貫通孔は複数個形成され、前記複数の貫通孔はそれぞれの溝に繋がっていることを特徴とする、帽子。
【請求項４】
請求項３記載の帽子において、前記それぞれの貫通孔が繋がっている複数の溝は、互いに繋がって全体として複数の分岐部分を備えた溝を構成することを特徴とする、帽子。
【請求項５】
請求項３又は４に記載の帽子において、前記複数の貫通孔は帽子本体の前頭部に形成されていることを特徴とする、帽子。
【請求項６】
請求項５記載の帽子において、前記前頭部に形成された複数の貫通孔は、帽子の左右方向略中央位置で、上下に並べて形成されていることを特徴とする、帽子。
【請求項７】
請求項６記載の帽子において、前記前頭部においてさらに、前記左右方向略中央に形成された貫通孔の左右に形成された貫通孔を備えていることを特徴とする、帽子。
【請求項８】
請求項５乃至７のいずれか１に記載の帽子において、前記帽子本体の頂部の中央部より僅かに後方で形成された貫通孔をさらに備えていることを特徴とする、帽子。
【請求項９】
請求項８記載の帽子において、前記頂部中央部後方に形成されて貫通孔は、左右方向に位置をずらして複数個形成されていることを特徴とする、帽子。
【請求項１０】
請求項５乃至９のいずれか１に記載の帽子において、前記本体の後頭部に形成された貫通孔をさらに備えていることを特徴とする、帽子。
【請求項１１】
請求項１０記載の帽子において、前記後頭部に形成された貫通孔は、上下に位置をずらして複数個形成されていることを特徴とする、帽子。
【請求項１２】
請求項１１記載の帽子において、前記後頭部に形成された貫通孔は左右対称位置に2列に形成されていることを特徴とする、帽子。
【請求項１３】
請求項１乃至１２のいずれか１記載の帽子において、前記溝は、帽子本体の後頭部の縁において開いていることを特徴とする、帽子。
【請求項１４】
請求項１３記載の帽子において、前記溝はさらに、前記帽子本体の側頭部の縁においても開いていることを特徴とする、帽子。
【請求項１５】
請求項1３又は１４記載の帽子において、前記溝は、前記帽子本体の前頭部の縁においても開いていることを特徴とする、帽子。
【請求項１６】
請求項１乃至１５のいずれか１に記載の帽子において、前記帽子は、衝撃緩和性の高い素材を用いて作られていることを特徴とする、帽子。
【考案の詳細な説明】
【技術分野】
【０００１】
本考案は帽子に関し、さらに詳細に言えば、例えばゴルフなどをする際に着用して好適な、通風手段を備えた帽子に関する。
【背景技術】
【０００２】
ゴルフを行う際、特に晴天時に行う際にはプレーヤの多くは帽子を着用する。帽子はそれぞれプレーヤの好みで選んでいるのが一般であるが、プレーの支障にならないように比較的に頭に密着するタイプのものが使用され、帽子によっては内側が蒸れてかなり暑くなる。したがって帽子内側表面に沿って空気の流れが積極的に作り出されると好都合であるが、本考案者の知る限りにおいてそのような帽子は市販されていない。また、特許文献については特に調査を行なっていないので、そのような先行特許文献の存在も知らない。
【考案の開示】
【考案が解決しようとする課題】
【０００３】
本考案は上記従来の問題点に鑑みなされたものであり、帽子の外側から内部へ空気を取り込むことができ、さらに内側表面に沿って空気の流れを作り出すことのできる帽子を提案することをその課題とする。またそれに併せて、衝撃に対する緩和能力に優れた帽子を影響することも本考案の課題である。
【課題を解決するための手段】
【０００４】
上記課題を解決するために本発明にかかる帽子では、帽子の本体部の内側表面に該内側表面に沿って延びている溝を形成し、少なくともその一端部が帽子本体部の縁において開いている構成とする。そして、帽子本体部の外側から内側へ貫通して形成され、内側端部において溝に通じる貫通穴を設ける。
ある実施の形態では、貫通孔は、帽子の通常の着用状態において略水平方向へ貫通するように形成されている。
【考案の効果】
【０００５】
本考案に係る帽子では、帽子の内側表面に沿って空気の通路ができ、この通路を伝って空気が流れるので着用していて涼しい。また、溝の存在により帽子の内側表面に凹凸が形成され、その溝内に僅かに頭髪の一部が入り込む形となり、例えばゴルフでスイングをした際に帽子がその勢いでずれるなどということを防止するにも効果がある。
貫通孔は、帽子の通常の着用状態において略水平方向へ貫通するように形成すると空気の出入りがしやすくなる。
溝は互いに繋がった複数の分岐部分で構成すると、頭部全体に亘って満遍なく空気を流すことができる。
貫通孔を複数個形成し、それぞれの溝に通じるようにし、それらの複数の溝は互いに繋がっているようにすると、空気の出入りが大量にでき、且つ空気の流れがスムーズになり、頭部全体に行き渡る。
帽子の頂頭部さらには後頭部に貫通穴を設けると、空気の流れが促進される。
溝が帽子本体の後頭部の縁において開いているとともに、帽子本体の側頭部の縁においても開いているようにすると、空気が防止の前後方向のみでなく、側頭部へも流れるので清涼感が増す。
溝が帽子本体の前頭部の縁においても開いているようにすると、空気取り入れ口が広くなり、好都合である。
帽子を、衝撃緩和性の高い素材を用いて作ると、例えばゴルフのプレイ中に他のプレーヤが打ったボールが誤って頭部に当たっても怪我を防止できる。
【考案を実施するための最良の形態】
【０００６】
以下、図面を参照して本考案の実施の形態について説明する。図１は本考案に一実施の形態に係る帽子の正面図、図２は側面図、図３は背面図、図４は側断面図である。そして図５は帽子の内側表面に形成された溝の形状と、該溝と、帽子本体に形成される貫通孔との関係を示すための帽子本体内側を平面的に表した図である。なお、図１乃至４においては図が複雑化するので説明の都合上溝の図示を省略した。
【０００７】
図１乃至４から判るとおり、本実施の形態の帽子１は帽子の本体部３のみから構成されているが、例えばサンバイザーが付いているようなタイプでもよい。この帽子の本体部３は、通常の帽子と同様に頭の前頭部を覆う前頭部５、頭の左右側頭部を覆う左右側頭部７，９、頭の後頭部を覆う後頭部１１、頭の頂部を覆う頂頭部１３とを備えている。
【０００８】
前頭部５には左右方向略中央で、前頭部５外側表面の傾斜に従って下側から４段に浚い部１５，１７，１９，２１が形成され、それぞれの略垂直となる面に穴１６、１８、２０、２２が形成されている。これらの穴１６，１８，２０，２２は帽子１の前側から見て左右に細長くなっており、図４から判るように、帽子１を通常の状態で被り、首を立てた状態で見たときに略水平方向となるように外側表面から内側表面に向かって帽子１の前側から後側へ向かって延びた貫通孔となっている。前頭部５にはさらに、前述の４箇所の浚い部の両側に浚い部２３，２５が形成され、これらの略垂直な面に穴２４，２６が形成されている。この穴２４，２６も前述の貫通穴１６，１８，２０，２２同様に、帽子１の前側から見て左右に細長くなっており、帽子１を通常の状態で被り、まっすぐ前を見たときに略水平方向となるように外側表面から内側表面に向かって前側から後側へ向かって延びた貫通孔となっている。
【０００９】
頂頭部１３の前後方向略中央より若干後寄りの位置で、左右略対称な位置に浚い部３１，３３が形成され、それぞれその略垂直となる面に穴３２，３４が形成されている。これらの穴３２，３４も前述の前頭部５に形成された穴と同じように形成され、帽子１の後ろ側から見て左右に細長くなっており、略水平方向に外側表面から内側表面に向かって後側から前側へ向かって延びた貫通孔となっている。頂頭部１３にはさらに、帽子１の左右方向略中央で、浚い部３１，３３より少し後頭部１１側へ寄った位置に浚い部３５が形成され、図３、４から判るとおり、その略垂直な面に穴３６が形成され、この穴３６は、帽子１の後ろ側から見て左右に細長くなっており、略水平方向に外側表面から内側表面へと後側から前側へ向かって延びた貫通孔となっている。
【００１０】
後頭部１１には、左右方向で対称に２列に、それぞれ上下に隔てて形成された貫通穴４１，４３，４５，４７，４９，５１が形成されている。これらの貫通穴も帽子１の後ろ側から見て左右に細長くなっており、帽子１を通常の状態で被り、首を立てた状態で見たときに略水平方向となるように外側表面から内側表面へと後側から前側へ向かって延びた貫通孔となっている。
【００１１】
図５は帽子本体３の内側表面に形成された溝６１の形状と、溝６１と前述の貫通穴との関係を説明するための図で、図２を下側から見た図であるが、本来は立体的である帽子本体３の内側面を平面的に図示した説明図である。図においては破線でハッチングを施した部分は所望の深さで形成された溝６１である。溝６１は互いに繋がった多くの分岐部分から成っている。
【００１２】
主として前頭部５の内側表面に形成される前頭部溝６２は、左右方向略中央で前後に延びる中央分岐６２と、これに合流する形の左右分岐６４，６５から構成されている。中央分岐６３はその前側端部（図５において左側）が前頭部５の縁５aに達してここで開いている。同様に左右分岐６４，６５の前側端部も前頭部５の縁５aに達してここで開いている。そして中央分岐６３には前述の貫通穴１６，１８，２０，２２が通じている。
【００１３】
前頭部５の中央分岐６３は頂頭部１３の内側表面に形成される頂頭部溝６６の中央分岐６７に繋がっている。頂頭部溝６６は中央分岐６７に繋がる左右の分岐６８,６９をも備えている。そして左側分岐６８の前側端部に貫通穴２４が、後側端部に貫通穴３２が通じ、右側分岐６９の前側端部に貫通穴２５が、後側端部に貫通穴３４が通じている。また、中央分岐６７の後側端部には貫通穴３６が通じている。
【００１４】
頂頭部溝６６の左右分岐６８，６９はそれぞれ左右側頭部溝７０，７４に繋がっている。左側頭部溝７０は、それぞれ帽子本体部３の左側頭部７の縁７aに達している第１と第２の分岐７１，７２とこれらを繋ぐ連結分岐７３とを備えている。右側頭部溝７４は、同様にそれぞれ帽子本体部３の右側頭部９の縁９aに達している第１と第２の分岐７５，７６とこれらを繋ぐ連結分岐７７とを備えている。
【００１５】
左右側頭部溝７０，７４は後頭部溝７８のそれぞれ左連結分岐７９と右連結分岐８０とに繋がる。左右連結分岐７９，８０は中央連結分岐８１で繋がると共に、中央溝８２へ左右から繋がっている。そして中央溝８２から左右分岐８３，８４が分岐して帽子１の本体部３の後頭部１１を下側へと延びて、後頭部１１の縁１１aに達している。中央溝８２には、前述した帽子本体部３の後頭部１１に形成された貫通穴４１，４３，４５，４７，４９，５１が通じている。
【００１６】
上記のように構成された帽子を着用した場合、前方から風が吹いたり、或は前へ歩くと、前頭部５の貫通穴１８，２０，２２及び２４，２５から、さらに前頭部溝６２の左右分岐６４，６５の前頭部５の縁５aで開いた端部から空気が入り、溝６１の経路に沿って流れる。頭頂部溝６６に達した空気は一部貫通穴３２,３４,３６から抜けるが、残りは左右側頭部溝７０，７４に流れ、一部はそれぞれの第１、第２分岐７１，７２，７５，７６に流れて左右側頭部７，９の縁７a、９aで開いた端部から流れ出る。そして残りはさらに後頭部溝７８へ流れ、一部は貫通穴４１,４３,４５,４７,４９,５１から流れ出て、残りは左右分岐８３，８４の後頭部１１の縁１１aで開いた端部から流れ出る。このように頭部全体へ空気が流れ、清涼感が得られる。後側から風が吹き、例えば貫通穴４１，４３，４５，４７，４９，５１及び貫通穴３２，３４，３６から空気が入った場合は先と逆方向に流れることは容易に理解できるので、説明は省略する。
【００１７】
本実施の形態に係る帽子１は、衝撃緩和能力が高く、型を用いての型成形を行なえる素材を使用して製造することが望ましい。前記したとおり、本考案に係る帽子はゴルフをする際などに着用するに適しているが、衝撃緩和能力の高い素材を用いて作ると、他のプレーヤの打ったボールが万が一にも当たった場合にその衝撃を緩和でき、怪我を防止できる。また、型成形できれば製造コストの低減化を図ることができる。この素材としては例えばゴムなどが考えられるが、例えばEVA（商標）、SORBO（商標）などの近年新たに開発された素材が特に適している。
【００１８】
上記説明から判るとおり、本実施の形態に係る帽子では、空気の通路となる溝を帽子の内側表面に縦横にめぐらすと共に、空気の流入できる入り口を多く設けると共に、出口も多く設けた。入り口を多く設けることも重要であるが、出口を多く設けることによって取り込まれた空気がスムーズに、且つ溝の各分岐部分に満遍なく流れることを可能としている。
【図面の簡単な説明】
【００１９】
【図１】本考案の一実施の形態に係る帽子の正面図である。
【図２】帽子の側面図である。
【図３】帽子の背面図である。
【図４】帽子の側断面図である。
【図５】溝の形状及び溝と貫通穴との関係を示す説明図である。
【符号の説明】
【００２０】
１：帽子    ３：帽子本体    ５：前頭部    ７：左側頭部    ９：右側頭部    １１：後頭部    １３：頂頭部    １６,１８,２０,２２,２４,２５,３２,３４,３６，４１，４３，４５，４７，４９，５１：貫通穴    ６１：溝    ６２：前頭部溝    ６６：頂頭部溝    ７０：左側頭部溝    ７４：右側頭部溝    ７８：後頭部溝
【図１】
0003122263.tif 000003
【図２】
0003122263.tif 000004
【図３】
0003122263.tif 000005
【図４】
0003122263.tif 000006
【図５】
0003122263.tif 000007